(57)【要約】【課題】蓄電モジュールの安全性を向上させる。【解決手段】蓄電モジュール１０は、正極３７及び負極３８を有する第１蓄電素子１１を備えた第１ユニット１２と、正極５１及び負極５２を有する第２蓄電素子１３を備えた第２ユニット１４と、を備え、正極３７及び負極３８と、正極５１及び負極５２とが対向して配されており、正極３７及び負極３８に接続された第１導体４０、正極５１及び負極５２に接続された第２導体５４、及び、負極３８と正極５１とを接続する第３導体４１は、第１ユニット１２と第２ユニット１４との間に挟まれた領域に配されている。【選択図】図２
2017004926.tif 000002
【特許請求の範囲】
【請求項１】
第１電極を有する第１蓄電素子を備えた第１ユニットと、
第２電極を有する第２蓄電素子を備えた第２ユニットと、を備え、
前記第１電極と前記第２電極とが対向して配されており、
前記第１電極に接続された第１導体、前記第２電極に接続された第２導体、及び、前記第１電極と前記第２電極とを接続する第３導体は、前記第１ユニットと前記第２ユニットとの間に挟まれた領域に配されている、
蓄電モジュール。
【請求項２】
前記第１ユニット、及び前記第２ユニットは、伝熱部材の上に載置されると共に、前記伝熱部材に組み付けられた蓋部材によって上方から覆われており、
前記第１ユニットは、前記第１電極と接続されると共に前記伝熱部材側に導出された第１外部導体を有し、
前記第２ユニットは、前記第２電極と接続されると共に前記伝熱部材側に導出された第２外部導体を有し、
前記伝熱部材は、前記第１外部導体に対応する位置に前記第１外部導体との干渉を回避するための第１凹部と、前記第２外部導体に対応する位置に前記第２外部導体との干渉を回避するための第２凹部と、を有する、
請求項１に記載の蓄電モジュール。
【請求項３】
前記第１ユニットには係合部が形成されており、前記第２ユニットには前記係合部と係合する被係合部が形成されており、
前記係合部が前記被係合部と係合する場合にのみ前記第１ユニットと前記第２ユニットとが組み付けられる、
請求項１または請求項２に記載の蓄電モジュール。
【請求項４】
前記第１ユニット、及び前記第２ユニットは、伝熱部材の上に載置されており、
前記第１ユニットは前記伝熱部材に対して第１固定部材によって固定されており、前記第２ユニットは前記伝熱部材に対して第２固定部材によって固定されており、
前記第１ユニットには前記第１固定部材及び前記伝熱部材と当接する位置に前記第１固定部材側に突出する第１突起が形成されており、前記第２ユニットには、前記第２固定部材及び前記伝熱部材と当接する位置に前記第２固定部材側に突出する第２突起が形成されている、
請求項１ないし請求項３のいずれか一項に記載の蓄電モジュール。
【請求項５】
前記第１ユニットと前記第２ユニットとに架け渡されるように取り付けられた板状の金具によって、前記第１ユニットと前記第２ユニットとが一体に組み付けられており、
前記金具は、前記第１ユニットに設けられた第１係止部に係止する第１被係止部と、前記第２ユニットに設けられた第２係止部に係止する第２被係止部と、を有している、
請求項１ないし請求項４のいずれか一項に記載の蓄電モジュール。
【請求項６】
前記第１係止部は、前記第１ユニットの壁部の外面から突出して形成されており、前記第１被係止部は前記第１係止部が挿通される貫通孔であり、
前記第２係止部は、前記第２ユニットの壁部の外面から突出して形成されており、前記第２被係止部は第２係止部が挿通される貫通孔である、
請求項５に記載の蓄電モジュール。
【請求項７】
請求項１ないし請求項６のいずれか一項に記載の蓄電モジュールと、
前記蓄電モジュールへの充放電制御を行う制御部と、が一体化された車載蓄電モジュール。
【発明の詳細な説明】
【技術分野】
【０００１】
本明細書に開示された技術は、蓄電素子を備えた蓄電モジュール、及び車載蓄電モジュールに関する。
【背景技術】
【０００２】
従来、電極端子を有する蓄電素子を備えた蓄電モジュールとして、特許文献１に記載のものが知られている。この蓄電モジュールは、複数の蓄電素子を備える。複数の蓄電素子は、蓄電素子の電極端子同士が、複数の導体によって電気的に接続されている。蓄電モジュールは、車両の車室内に配置されている。
【先行技術文献】
【特許文献】
【０００３】
【特許文献１】特開２０１０−３６５９４号公報
【発明の概要】
【発明が解決しようとする課題】
【０００４】
しかしながら上記の構成によると、蓄電素子の電極や、複数の導体など、電流が流される部材が車室内に配された状態になっている。このため、蓄電モジュールに対して、人が接触したり、荷物が接触したりすることが懸念される。上記の電極や、複数の導体に、例えば導電性を有する異物が接触すると、異物を介して、想定していない経路で電流が流れるおそれがある。
【０００５】
本発明は上記のような事情に基づいて完成されたものであって、蓄電モジュールの安全性を向上させることを目的とする。
【課題を解決するための手段】
【０００６】
本明細書に記載された技術に係る蓄電モジュールは、第１電極を有する第１蓄電素子を備えた第１ユニットと、第２電極を有する第２蓄電素子を備えた第２ユニットと、を備え、前記第１電極と前記第２電極とが対向して配されており、前記第１電極に接続された第１導体、前記第２電極に接続された第２導体、及び、前記第１電極と前記第２電極とを接続する第３導体は、前記第１ユニットと前記第２ユニットとの間に挟まれた領域に配されている。
【０００７】
本明細書に記載された技術によれば、第１電極、第２電極、第１導体、第２導体、及び第３導体は、第１ユニットと第２ユニットとの間に挟まれた領域に配されているので、これらの部材に異物が接触することが抑制される。この結果、上記の部材と異物とが接触して、異物を介して、想定していない経路で電流が流れることを抑制することができる。これにより、蓄電モジュールの安全性を向上させることができる。
【０００８】
本発明の実施態様としては以下の態様が好ましい。
【０００９】
前記第１ユニット、及び前記第２ユニットは、伝熱部材の上に載置されると共に、前記伝熱部材に組み付けられた蓋部材によって上方から覆われており、前記第１ユニットは、前記第１電極と接続されると共に前記伝熱部材側に導出された第１外部導体を有し、前記第２ユニットは、前記第２電極と接続されると共に前記伝熱部材側に導出された第２外部導体を有し、前記伝熱部材は、前記第１外部導体に対応する位置に前記第１外部導体との干渉を回避するための第１凹部と、前記第２外部導体に対応する位置に前記第２外部導体との干渉を回避するための第２凹部と、を有することが好ましい。
【００１０】
上記の態様によれば、第１ユニット、及び第２ユニットで発生した熱は、伝熱部材に伝達されるので、蓄電モジュールが局所的に高温になることを抑制することができる。
【００１１】
また、上記の態様によれば、第１外部導体は第１ユニットと伝熱部材との間に配されるようになっており、また、第２外部導体は第２ユニットと伝熱部材との間に配されるようになっている。これにより、第１外部導体、及び第２外部導体に異物が接触することが抑制されるようになっている。この結果、第１外部導体、及び第２外部導体と異物とが接触して、異物を介して電流が流れることを抑制することができる。これにより、蓄電モジュールの安全性を一層向上させることができる。
【００１２】
前記第１ユニットには係合部が形成されており、前記第２ユニットには前記係合部と係合する被係合部が形成されており、前記係合部が前記被係合部と係合する場合にのみ前記第１ユニットと前記第２ユニットとが組み付けられることが好ましい。
【００１３】
上記の態様によれば、第１ユニットと第２ユニットとの誤組み付けを抑制することができる。
【００１４】
前記第１ユニット、及び前記第２ユニットは、伝熱部材の上に載置されており、前記第１ユニットは前記伝熱部材に対して第１固定部材によって固定されており、前記第２ユニットは前記伝熱部材に対して第２固定部材によって固定されており、前記第１ユニットには前記第１固定部材及び前記伝熱部材と当接する位置に前記第１固定部材側に突出する第１突起が形成されており、前記第２ユニットには、前記第２固定部材及び前記伝熱部材と当接する位置に前記第２固定部材側に突出する第２突起が形成されていることが好ましい。
【００１５】
上記の態様によれば、第１ユニットの第１蓄電素子、及び第２ユニットの第２蓄電素子が、充放電時に膨張した場合でも、第１ユニット、及び第２ユニットを確実に伝熱部材に押圧することができる。これにより、蓄電モジュールが局所的に高温になることを一層抑制することができる。
【００１６】
また、上記の態様によれば、第１蓄電素子、及び第２蓄電素子が膨張することを抑制することができる。
【００１７】
前記第１ユニットと前記第２ユニットとに架け渡されるように取り付けられた板状の金具によって、前記第１ユニットと前記第２ユニットとが一体に組み付けられており、前記金具は、前記第１ユニットに設けられた第１係止部に係止する第１被係止部と、前記第２ユニットに設けられた第２係止部に係止する第２被係止部と、を有していることが好ましい。
【００１８】
上記の構成によれば、板状をなす金具によって第１ユニットと第２ユニットとが一体に組み付けられているので、第１ユニットと第２ユニットとを組み付ける構造が、第１ユニット及び第２ユニットの外方に突出することが抑制される。これにより、蓄電モジュールを全体として小型化することができる。
【００１９】
前記第１係止部は、前記第１ユニットの壁部の外面から突出して形成されており、前記第１被係止部は前記第１係止部が挿通される貫通孔であり、前記第２係止部は、前記第２ユニットの壁部の外面から突出して形成されており、前記第２被係止部は第２係止部が挿通される貫通孔であることが好ましい。
【００２０】
上記の構成によれば、金具に形成された貫通孔である第１被係止部に、第１係止部を挿通させ、また、金具に形成された貫通孔である第２被係止部に、第２係止部を挿通させるという簡易な手法により、第１ユニットと第２ユニットとを一体に組み付けることができる。これにより、蓄電モジュールの組み付け作業の効率を向上させることができる。
【００２１】
また、本願明細書に記載された車載蓄電モジュールは、蓄電モジュールと、前記蓄電モジュールへの充放電制御を行う制御部と、が一体化されている。
【発明の効果】
【００２２】
本発明によれば、蓄電モジュールの安全性を向上させることができる。
【図面の簡単な説明】
【００２３】
【図１】実施形態１に係る蓄電モジュールを示す斜視図
【図２】蓄電モジュールを示す分解斜視図
【図３】蓄電モジュールを示す背面図
【図４】蓄電モジュールを示す平面図
【図５】図４におけるＡ‐Ａ線断面図
【図６】図４におけるＢ−Ｂ線断面図
【図７】図４におけるＣ−Ｃ線断面図
【図８】図４におけるＤ−Ｄ線断面図
【図９】伝熱部材を示す斜視図
【図１０】第１蓄電素子を示す斜視図
【図１１】第１ユニットと第２ユニットとを組み付けた状態を示す平面図
【図１２】図１１におけるＰ−Ｐ線断面図
【図１３】図１１におけるＱ−Ｑ線断面図
【図１４】図１１におけるＲ−Ｒ線断面図
【図１５】図１１におけるＳ−Ｓ線断面図
【図１６】図１１におけるＴ−Ｔ線断面図
【図１７】第１ユニットと第２ユニットとを組み付けた状態を示す側面図
【図１８】図１７におけるＵ−Ｕ線断面図
【図１９】図１７におけるＶ−Ｖ線断面図
【図２０】第１ユニットを示す斜視図
【図２１】第１ユニットを示す底面図
【図２２】第２ユニットを示す平面図
【図２３】第２ユニットを示す斜視図
【図２４】第１導体を示す斜視図
【図２５】第１分割体を示す斜視図
【図２６】第２分割体を示す斜視図
【図２７】第１外部導体を示す平面図
【図２８】第２外部導体を示す平面図
【図２９】ダクト部材を示す分解斜視図
【図３０】第１ダクト部材を示す斜視図
【図３１】第２ダクト部材を示す斜視図
【図３２】実施形態２に係る蓄電モジュールを示す分解斜視図
【図３３】金具を示す側面図
【図３４】蓄電モジュールを示す平面図
【図３５】図３４におけるＬ−Ｌ線断面図
【図３６】図３４におけるＭ−Ｍ線断面図
【図３７】図３４におけるＮ−Ｎ線断面図
【図３８】第２ユニットを示す斜視図
【図３９】第２ユニットを示す平面図
【図４０】蓄電モジュールを示す底面図
【発明を実施するための形態】
【００２４】
＜実施形態１＞
本発明の実施形態１を、図１ないし図３１を参照しつつ、説明する。本実施形態に係る蓄電モジュール１０は、車両（図示せず）に配されて、車両に配設された電子部品（図示せず）又は電気部品（図示せず）に電力を供給するものである。なお、以下の説明においては、図１に示すＺ方向を上方とし、Ｙ方向を前方とし、Ｘ方向を右方として説明する。また、複数の同一部材については、一部の部材にのみ符号を付し、他の部材については符号を省略することがある。
【００２５】
（蓄電モジュール１０）
蓄電モジュール１０は、複数（本実施形態では２つ）の第１蓄電素子１１を有する第１ユニット１２と、複数（本実施形態では２つ）の第２蓄電素子１３を有する第２ユニット１４と、を備える。第１ユニット１２と第２ユニット１４とは、金属製の伝熱部材１５の上に取り付けられている。伝熱部材１５には蓋部材１６が取り付けられており、この蓋部材１６によって、第１ユニット１２と第２ユニット１４とが覆われている。
【００２６】
蓄電モジュール１０は、全体として上下方向について扁平な直方体形状をなしている。蓄電モジュール１０の下側には伝熱部材１５が配されている。伝熱部材１５は上方から見て略矩形状をなしている。伝熱部材１５は、底壁１７と、底壁１７の側縁から上方に立ち上がる側壁１８と、を有する。伝熱部材１５を構成する金属としては、アルミニウム、アルミニウム合金等、必要に応じて任意の金属材料を適宜に選択することができる。第１ユニット１２及び第２ユニット１４で発生した熱は、伝熱部材１５へと伝達されるようになっている。伝熱部材１５の側壁１８の内面には、伝熱部材１５の内方に突出する複数のロック部１９が形成されている。
【００２７】
蓋部材１６は絶縁性の合成樹脂製であって、上壁と、上壁の側縁から下方に垂下する側壁と、を有する。蓋部材１６の上壁は、伝熱部材１５の底壁１７の形状と対応する形状を有する。蓋部材１６の上壁には、上壁を貫通する複数のスリットが形成されている。蓋部材１６の側壁には、伝熱部材１５のロック部１９に対応する位置に、ロック部１９と弾性的に係合する複数のロック受け部２０が形成されている。ロック部１９と、ロック受け部２０とが弾性的に係合することにより、蓋部材１６と伝熱部材１５とが一体に組み付けられるようになっている。
【００２８】
伝熱部材１５の底壁１７には、左前端部と、左後端部に、それぞれ、底壁１７を貫通する切欠部２１が設けられている。この切欠部２１からは、後述する、第１外部導体２２の第１端子部２３と、第２外部導体２４の第２端子部２５が下方に露出している。
【００２９】
（第１ユニット１２）
第１ユニット１２には、前方に開口する第１開口部２６を有する合成樹脂製の第１ケース２７内に、２つの第１蓄電素子１１が上下方向に積層された状態で収容されている。第１ケース２７は、上下方向について扁平な略直方体形状をなしている。第１ケース２７の第１開口部２６には、第１開口部２６の形状に倣った形状をなす第１カバー２８が内嵌されている。第１ケース２７のロック部２９と、第１カバー２８とのロック受け部３０とが弾性的に係合することにより、第１ケース２７と第１カバー２８とは一体に組み付けられている。
【００３０】
第１ケース２７の左右両端部には、左右方向の外方に突出する、第１右固定部３１、第１左固定部３２が形成されている。第１右固定部３１、及び第１左固定部３２には、前後方向にボルト３３が挿通されるボルト挿通孔３４が上下に並んで形成されている。第１右固定部３１には、後述するパイプ部３５が挿通されるパイプ挿通部３６が後方に陥没して形成されている。
【００３１】
第１蓄電素子１１は、扁平な略直方体形状をなしている。第１蓄電素子１１の内部には図示しない蓄電要素が収容されている。
【００３２】
第１蓄電素子１１の前面には、正極３７（第１電極）と、負極３８（第１電極）とが、左右両端部寄りの位置から前方に突出されている。正極３７及び負極３８は表面にねじ山が形成されたボルト状をなしている。第１蓄電素子１１の前面には、正極３７と、負極３８と間であって、左右方向について略中央位置に、第１安全弁３９が設けられている。この第１安全弁３９は、例えば第１蓄電素子１１に異常が発生して第１蓄電素子１１の内圧が上昇した場合に、第１安全弁３９が破断することによって、第１蓄電素子１１の内圧を減少させるようになっている。第１安全弁３９は前方から見て略円形状に形成されている
【００３３】
第１カバー２８には、下側に配された第１蓄電素子１１の正極３７に接続された第１外部導体２２が配設されている。また、第１カバー２８には、下側に配された第１蓄電素子１１の負極３８と、上側に配された第１蓄電素子１１の正極３７とを接続する第１導体４０が配設されている。また、第１カバー２８には、上側に配された第１蓄電素子１１の負極３８に接続されて、後述する第２蓄電素子１３の正極５１と接続される第３導体４１が配設されている。第１カバー２８は絶縁性の合成樹脂製である。これにより、第１外部導体２２、第１導体４０、及び第３導体４１は電気的に絶縁されている。
【００３４】
第１カバー２８には、第１安全弁３９に対応する位置に、前方から見て円筒形状をなす第１枠部４２が形成されている。第１枠部４２の内径寸法は、第１安全弁３９の外形寸法と略同じか、又はやや大きく設定されている。
【００３５】
（第２ユニット１４）
第２ユニット１４には、後方に開口する第２開口部４３を有する合成樹脂製の第２ケース４４内に、２つの第２蓄電素子１３が上下方向に積層された状態で収容されている。第２ケース４４は、上下方向について扁平な略直方体形状をなしている。第２ケース４４の第２開口部４３には、第２開口部４３の形状に倣った形状を成す第２カバー４５が内嵌されている。第２ケース４４のロック部４６と、第２カバー４５とのロック受け部４７とが弾性的に係合することにより、第２ケース４４と第２カバー４５とは一体に組み付けられている。
【００３６】
第２ケース４４の左右両端部には、左右方向の外方に突出する第２右固定部４８、第２左固定部４９が形成されている。第２右固定部４８、及び第２左固定部４９には、ボルト３３が螺合されるナット５０が上下に並んでインサート成形されている。
【００３７】
ボルト３３が、第１ケース２７のボルト挿通孔３４に挿通されると共に、第２ケース４４のナット５０に螺合されることにより、第１ケース２７と第２ケース４４とが一体に組み付けられるようになっている。
【００３８】
第２蓄電素子１３は、扁平な略直方体形状をなしている。第２蓄電素子１３の内部には図示しない蓄電要素が収容されている。
【００３９】
第２蓄電素子１３の後面には、正極５１（第２電極）と、負極５２（第２電極）とが、左右両端部寄りの位置から後方に突出されている。正極５１及び負極５２は、表面にねじ山が形成されたボルト状をなしている。第２蓄電素子１３の後面には、正極５１と、負極５２と間であって、左右方向について略中央位置に、第２安全弁５３が設けられている。この第２安全弁５３は、例えば第２蓄電素子１３に異常が発生して第２蓄電素子１３の内圧が上昇した場合に、第２安全弁５３が破断することによって、第２蓄電素子１３の内圧を減少させるようになっている。第２安全弁５３は前方から見て略円形状に形成されている。
【００４０】
第２カバー４５には、下側に配された第２蓄電素子１３の負極５２に接続された第２外部導体２４が配設されている。また、第２カバー４５には、下側に配された第２蓄電素子１３の正極５１と、上側に配された第２蓄電素子１３の負極５２とを接続する第２導体５４が配設されている。また、第２カバー４５には、上側に配された第２蓄電素子１３の正極５１に接続されて、前述した第１蓄電素子１１の負極３８と接続される第３導体４１が配設されている。第２カバー４５は絶縁性の合成樹脂製である。これにより、第２外部導体２４、第２導体５４、及び第３導体４１は電気的に絶縁されている。
【００４１】
第２カバー４５には、第２安全弁５３に対応する位置に、前方から見て円筒形状をなす第２枠部５５が形成されている。第２枠部５５の内径寸法は、第２安全弁５３の外形寸法と略同じか、又はやや大きく設定されている。
【００４２】
（電気的接続構造）
第１導体４０は、平面視長方形状をなす金属板材からなる。第１導体４０を構成する金属としては、銅、銅合金等、必要に応じて任意の金属を使用することができる。第１導体４０の表面には、スズ、ニッケル等のメッキ層が形成されていてもよい。第１導体４０には、第１蓄電素子１１の正極３７、及び負極３８が挿通される２つの電極挿通孔５６が貫通されている。第１導体４０はナット１０２により正極３７及び負極３８に固定される。
【００４３】
第２導体５４は、第１導体４０と同形状なので、同一部分には同一の符号を付して説明を省略する。
【００４４】
第３導体４１は、第１ユニット１２側に取り付けられる第１分割体５７と、第２ユニット１４側に取り付けられる第２分割体５８と、を備える。第１分割体５７は、金属板材を所定の形状にプレス加工してなる。第１分割体５７は、第１蓄電素子１１の負極３８が挿通される電極挿通孔５９を有する。また、第１分割体５７は、第２分割体５８とボルト締結される際にボルト６０が挿通されるボルト挿通孔６１を有する。
【００４５】
第２分割体５８は、金属板材を所定の形状にプレス加工してなる。第２分割体５８は、第２蓄電素子１３の正極５１が挿通される電極挿通孔６２を有する。第２分割体５８は、第１分割体５７とボルト締結される際にボルト６０が螺合されるナット６３が、圧入、溶接等の公知の手法により取り付けられている。
【００４６】
第１ユニット１２と第２ユニット１４とが組み付けられた状態では、第１導体４０と、第２導体５４は、第１ケース２７の側壁と、第２ケース４４の側壁との間の領域内に配されているので、異物と干渉することが抑制されるようになっている。
【００４７】
また、第１ユニット１２と第２ユニット１４とが組み付けられた状態では、第３導体４１は、第１分割体５７と第２分割体５８とを締結するためのボルト６０の頭部が外部に露出しており、ボルト６０の頭部と異なる部分は、第１ケース２７の側壁と第２ケース４４の側壁との間の領域内に配されている。これにより、ボルト６０の頭部と異なる部分については、異物と干渉することが抑制されるようになっている。
【００４８】
第１外部導体２２は、第１蓄電素子１１の正極３７が挿通される電極挿通孔６４を有する。第１外部導体２２は、第１ユニット１２と第２ユニット１４との間の領域から下方に導出された後、第１ユニット１２の底壁に沿って配索される。
【００４９】
第２外部導体２４は、第２蓄電素子１３の負極が挿通される電極挿通孔６５を有する。第２外部導体２４は、第１ユニット１２と第２ユニット１４との間の領域から下方に導出された後、第２ユニット１４の底壁に沿って配索される。
【００５０】
第１外部導体２２の端部には、第１端子部２３が下方に突出して設けられている。この第１端子部２３は、上述したように、伝熱部材１５の切欠部２１から外部に露出している。また、第２外部導体２４の端部には、第２端子部２５が下方に突出して設けられている。この第２端子部２５も、上述したように、伝熱部材１５の切欠部２１から外部に露出している。
【００５１】
（第１外部導体２２、及び第２外部導体２４と、伝熱部材１５との絶縁構造）
第１ユニット１２の底壁の外面には、第１外部導体２２が収容される第１収容部６６が、左方に開口して形成されている。第１外部導体２２が第１収容部６６内に収容された状態で、第１外部導体２２は、第１収容部６６を構成する壁部６６Ａによって、伝熱部材１５と絶縁されている。
【００５２】
伝熱部材１５の底壁１７の上面には、第１収容部６６と対応する位置に、下方に陥没した第１凹部６７が形成されている。第１ユニット１２が伝熱部材１５に載置された状態で、第１凹部６７内に、第１収容部６６が収容されるようになっている。
【００５３】
第２ユニット１４の底壁の外面には、第２外部導体２４が収容される第２収容部６８が、左方に開口して形成されている。第２外部導体２４が第２収容部６８内に収容された状態で、第２外部導体２４は、第２収容部６８を構成する壁部６８Ａによって、伝熱部材１５と絶縁されている。
【００５４】
伝熱部材１５の底壁１７の上面には、第２収容部６８と対応する位置に、下方に陥没した第２凹部６９が形成されている。第２ユニット１４が伝熱部材１５に載置された状態で、第２凹部６９内に、第２収容部６８が収容されるようになっている。
【００５５】
（第１ユニット１２と第２ユニット１４の組み付け構造）
第１ユニット１２と第２ユニット１４とがボルト３３によって固定された状態では、第１ユニット１２は、第１蓄電素子１１の第１安全弁３９が前側に位置する姿勢で配されている。このとき、第２ユニット１４は、第２蓄電素子１３の第２安全弁５３が後側に位置する姿勢で配されている。換言すると、第１ユニット１２と第２ユニット１４とが固定された状態では、第１蓄電素子１１の第１安全弁３９は第２ユニット１４に対向する姿勢で配されており、第２蓄電素子１３の第２安全弁５３は第１ユニット１２に対向する姿勢で配されるようになっている。
【００５６】
第１左固定部３２と、第２左固定部４９とが前後方向から組み付けられると共に、第１右固定部３１と、第２右固定部４８とが前後方向から組み付けられることにより、第１ユニット１２と第２ユニット１４とが正しく固定されるようになっている。
【００５７】
第２ユニット１４の第２左固定部４９には、後方に突出する第２係合部７０（係合部）が形成されている。第２係合部７０は、先端が丸められた板状をなしている。第１ユニット１２の第１左固定部３２には、第２ユニット１４の第２係合部７０と対応する位置に、第２係合部７０が収容される第１被係合部７１が、後方に陥没して形成されている。
【００５８】
第１ユニット１２の第１右固定部３１には、前方に突出する第１係合部７２が形成されている。第１係合部７２は、パイプ挿通部３６の上下両側に形成されている。第２ユニット１４の第２右固定部４８には、第１ユニット１２の第１係合部７２と対応する位置に、第１係合部７２が収容される第２被係合部７３が形成されている。
【００５９】
第１ユニット１２と、第２ユニット１４とは、第２係合部７０と第１被係合部７１とが係合すると共に、第１係合部７２と第２被係合部７３とが係合する場合にのみ、互いに組み付けることができるようになっている。
【００６０】
（第１ユニット１２及び第２ユニット１４と、伝熱部材１５との組み付け構造）
伝熱部材１５の底壁１７には、上方に突出する円筒形状をなす複数（本実施形態では４つ）のボス７４が形成されている。このボス７４には、ボルト７５が螺合されるようになっている。
【００６１】
伝熱部材１５の底壁１７に、第１ユニット１２及び第２ユニット１４が載置された状態で、第１ユニット１２に対しては、第１固定部材７６が上方から組み付けられる。第１固定部材７６は、金属板材を所定の形状に曲げ加工してなる。第１固定部材７６の両端部は下方にクランク状に曲がっている。第１固定部材７６の両端部には、ボルト７５が挿通されるボルト挿通孔７７が形成されている。第１固定部材７６のボルト挿通孔７７にボルト７５が挿通されると共にボス７４に螺合されることにより、伝熱部材１５に対して、第１ユニット１２が、第１固定部材７６によって下方に押圧されるようになっている。
【００６２】
第１ユニット１２の第１ケース２７の上面には、第１固定部材７６に対応する部分に、上方（第１固定部材７６側）に突出する第１上側突起７８（第１突起）が形成されている。また、第１ケース２７の下面には、伝熱部材１５の底壁１７と当接する部分であって、第１上側突起７８と上下方向について反対側の位置に、下方（伝熱部材１５側）に突出する第１下側突起７９（第１突起）が形成されている。
【００６３】
また、伝熱部材１５の底壁１７に、第１ユニット１２及び第２ユニット１４が載置された状態で、第２ユニット１４に対しては、第２固定部材８０が上方から組み付けられる。第２固定部材８０は、金属板材を所定の形状に曲げ加工してなる。第２固定部材８０の両端部は下方にクランク状に曲がっている。第２固定部材８０の両端部には、ボルト７５が挿通されるボルト挿通孔８１が形成されている。第２固定部材８０のボルト挿通孔８１にボルト７５が挿通されると共にボス７４に螺合されることにより、伝熱部材１５に対して、第２ユニット１４が、第２固定部材８０によって下方に押圧されるようになっている。
【００６４】
第２ユニット１４の第２ケース４４の上面には、第２固定部材８０に対応する部分に、上方（第２固定部材側）に突出する第２上側突起８２（第２突起）が形成されている。また、第２ケース４４の下面には、伝熱部材１５の底壁１７と当接する部分であって、第２上側突起８２突起と上下方向について反対側の位置に、下方（伝熱部材１５側）に突出する第２下側突起８３（第２突起）が形成されている。
【００６５】
（ダクト部材８４）
ダクト部材８４は、絶縁体からなり、本実施形態においては絶縁性の合成樹脂からなる。ダクト部材８４は、第１ユニット１２側に配される第１ダクト部材８５と、第２ユニット１４側に配される第２ダクト部材８６と、第１ダクト部材８５と第２ダクト部材８６の間に配される保護壁８７と、を備える。
【００６６】
第１ダクト部材８５と、第２ダクト部材８６とは、図示しない接着剤層を介して接着されていてもよい。また、第１ダクト部材８５と、第２ダクト部材８６とは、図示しないロック手段によって弾性的に組み付けられる構成としてもよいし、第１ダクト部材８５と、第２ダクト部材８６とは、溶着されていてもよい。更には、第１ダクト部材８５と、第２ダクト部材８６と、保護壁８７とが、一体に成形されていてもよい。
【００６７】
第１ダクト部材８５は、略長方形状をなす第１板部８８を備える。第１板部８８には、後方に陥没する第１凹部８９が形成されている。第１凹部８９の後端部には、上下に並ぶ第１安全弁３９に対応する位置に、上下に並ぶ２つの第１嵌合筒部９０が形成されている。各第１嵌合筒部９０には、第１ゴムリング９１が外嵌されている。第１ゴムリング９１は、第１カバー２８の第１枠部４２に内嵌するようになっている。なお、第１ゴムリング９１は、第１ダクト部材８５と一体に成形されていてもよい。
【００６８】
第１ダクト部材８５の右端部には、右方に突出する筒状をなすパイプ部３５が形成されている。パイプ部３５の内部は、第１凹部８９に連通している。パイプ部３５の端部には、図示しないチューブが接続されている。このチューブを介して、パイプ部３５の内部は車両の外部空間と連通している。
【００６９】
第１板部８８の後面には、後方に突出する複数（本実施形態では４つ）の第１嵌合板部９２が形成されている。第１嵌合板部９２の後端部には、第１カバー２８と係止する第１ダクト係止部９３が形成されている。第１カバー２８には、第１ダクト係止部９３に対応する位置に、第１ダクト被係止部９４が形成されている。第１ダクト係止部９３と第１ダクト被係止部９４とが弾性的に係止することにより、第１カバー２８と第１ダクト部材８５とが仮係止されるようになっている。
【００７０】
第２ダクト部材８６は、略長方形状をなす第２板部９５を備える。第２板部９５には、前方に陥没する第２凹部９６が形成されている。第２凹部９６の前端部には、上下に並ぶ第２安全弁５３に対応する位置に、上下に並ぶ２つの第２嵌合筒部９７が形成されている。各第２嵌合筒部９７には、第２ゴムリング９８が外嵌されている。第２ゴムリング９８は、第２カバー４５の第２枠部５５に内嵌するようになっている。なお、第２ゴムリング９８は、第２ダクト部材８６と一体に成形されていてもよい。
【００７１】
第２板部９５の前面には、前方に突出する複数（本実施形態では４つ）の第２嵌合板部９９が形成されている。第２嵌合板部９９の前端部には、第２カバー４５と係止する第２ダクト係止部１００が形成されている。第２カバー４５には、第２ダクト係止部１００に対応する位置に、第２ダクト被係止部１０１が形成されている。第２ダクト係止部１００と第２ダクト被係止部１０１とが弾性的に係止することにより、第２カバー４５と第２ダクト部材８６とが仮係止されるようになっている。
【００７２】
第１ダクト部材８５と、第２ダクト部材８６とが組み付けられた状態で、第１ダクト部材８５の第１凹部８９と、第２ダクト部材８６の第２凹部９６とによって、第１蓄電素子１１の第１安全弁３９から放出されたガス、又は、第２蓄電素子１３の第２安全弁５３から放出されたガスがためられるようになっている。第１ダクト部材８５と、第２ダクト部材８６とが組み付けられた状態で、第１凹部８９と第２凹部９６とは、接着剤層や、パッキン等の公知の手法によって、気密に形成されている。
【００７３】
第１ダクト部材８５と、第２ダクト部材８６との間には、略長方形状をなす保護壁８７が、第１ダクト部材８５と第２ダクト部材８６とに挟持されている。保護壁８７は、ダクト部材８４が第１ユニット１２及び第２ユニット１４に組み付けられた状態で、第１安全弁３９の前方に位置して第１安全弁３９と対向するとともに、第２安全弁５３の後方に位置して第２安全弁５３と対向するようになっている。
【００７４】
また、ダクト部材８４が、第１ユニット１２及び第２ユニット１４に組み付けられた状態で、ダクト部材８４は、第１蓄電素子１１の正極３７と、第２蓄電素子１３の負極５２との間に配置されていると共に、第１蓄電素子１１の負極３８と、第２蓄電素子１３の正極５１との間に配置されている。
【００７５】
また、第１ユニット１２と第２ユニット１４とが組み付けられた状態で、ダクト部材８４は第１ユニット１２と第２ユニット１４との間に挟み付けられている。
【００７６】
（本実施形態の作用、効果）
続いて、本実施形態の作用、効果について説明する。本実施形態に係る蓄電モジュール１０は、正極３７及び負極３８を有する第１蓄電素子１１を備えた第１ユニット１２と、正極５１及び負極５２を有する第２蓄電素子１３を備えた第２ユニット１４と、を備え、正極３７及び負極３８は第２ユニット１４と対向して配されており、正極５１及び負極５２は第１ユニット１２と対向して配されており、正極３７及び負極３８に接続された第１導体４０、正極５１及び負極５２に接続された第２導体５４、及び、負極３８と正極５１とを接続する第３導体４１は、第１ユニット１２と第２ユニット１４との間に挟まれた領域に配されている。
【００７７】
本実施形態によれば、正極３７、負極３８、正極５１及び負極５２、第１導体４０、第２導体５４、及び第３導体４１は、第１ユニット１２と第２ユニット１４との間に挟まれた領域に配されているので、これらの部材に異物が接触することが抑制される。この結果、上記の部材と異物とが接触して、異物を介して、想定していない経路で電流が流れることを抑制することができる。これにより、蓄電モジュール１０の安全性を向上させることができる。
【００７８】
また、本実施形態によれば、第１ユニット１２、及び第２ユニット１４は、伝熱部材１５の上に載置されると共に、伝熱部材１５に組み付けられた蓋部材１６によって上方から覆われており、第１ユニット１２は、正極３７と接続されると共に伝熱部材１５側に導出された第１外部導体２２を有し、第２ユニット１４は、負極５２と接続されると共に伝熱部材１５側に導出された第２外部導体２４を有し、伝熱部材１５は、第１外部導体２２に対応する位置に第１外部導体２２との干渉を回避するための第１凹部８９と、第２外部導体２４に対応する位置に第２外部導体２４との干渉を回避するための第２凹部９６と、を有する。
【００７９】
上記の構成によれば、第１ユニット１２、及び第２ユニット１４で発生した熱は、伝熱部材１５に伝達されるので、蓄電モジュール１０が局所的に高温になることを抑制することができる。
【００８０】
また、上記の構成によれば、第１外部導体２２は第１ユニット１２と伝熱部材１５との間に配されるようになっており、また、第２外部導体２４は第２ユニット１４と伝熱部材１５との間に配されるようになっている。これにより、第１外部導体２２、及び第２外部導体２４に異物が接触することが抑制されるようになっている。この結果、第１外部導体２２、及び第２外部導体２４と異物とが接触して、異物を介して電流が流れることを抑制することができる。これにより、蓄電モジュール１０の安全性を一層向上させることができる。
【００８１】
また、本実施形態によれば、第１ユニット１２には第１係合部７２が形成されており、第２ユニット１４には第１係合部７２と係合する第２被係合部７３が形成されている。また、第２ユニット１４には第２係合部７０が形成されており、第１ユニット１２には第２係合部７０と係合する第１被係合部７１が形成されている。そして、第１係合部７２と第２被係合部７３とが係合すると共に、第２係合部７０と第１被係合部７１とが被係合部と係合する場合にのみ第１ユニット１２と第２ユニット１４とが組み付けられる。これにより、第１ユニット１２と第２ユニット１４との誤組み付けを抑制することができる。
【００８２】
また、本実施形態によれば、第１ユニット１２、及び第２ユニット１４は、伝熱部材１５の上に載置されており、第１ユニット１２は伝熱部材１５に対して第１固定部材７６によって固定されており、第２ユニット１４は伝熱部材１５に対して第２固定部材８０によって固定されており、第１ユニット１２には第１固定部材７６及び伝熱部材１５と当接する位置に第１固定部材７６側及び伝熱部材１５側に突出する第１上側突起７８及び第１下側突起７９が形成されており、第２ユニット１４には、第２固定部材８０及び伝熱部材１５と当接する位置に第２固定部材８０側及び伝熱部材１５側に突出する第２上側突起８２及び第２下側突起８３が形成されている。
【００８３】
上記の構成によれば、第１ユニット１２の第１蓄電素子１１、及び第２ユニット１４の第２蓄電素子１３が、充放電時に膨張した場合でも、第１ユニット１２、及び第２ユニット１４を確実に伝熱部材１５に押圧することができる。これにより、蓄電モジュール１０が局所的に高温になることを一層抑制することができる。
【００８４】
また、第１ユニット１２は伝熱部材１５に対して第１固定部材７６によって固定されており、第２ユニット１４は伝熱部材１５に対して第２固定部材８０によって固定されているので、第１蓄電素子１１と第２蓄電素子１３は、それぞれ、第１固定部材７６、及び第２固定部材８０によって、伝熱部材１５に対して押圧されている。この結果、第１蓄電素子１１、及び第２蓄電素子１３が膨張することを抑制することができる。
【００８５】
＜実施形態２＞
続いて、実施形態２に係る蓄電モジュール１１０を、図３２ないし図４０を参照しつつ、説明する。第１ユニット１１１と第２ユニット１１２とは、板状をなす金属製の金具１１３によって一体に組み付けられている。
【００８６】
（金具１１３）
金具１１３は、金属板材をプレス加工することにより所定の形状に形成されている。上方から見て、第１ユニット１１１と第２ユニット１１２を組み付ける方向（前後方向）について細長い、略長方形状をなしている。金具１１３を形成する金属としては、銅、鉄、アルミニウム、又は、これらの合金等、必要に応じて任意の金属を適宜に選択できる。金具１１３を構成する金属としては、ばね性を有することが好ましいので、いわゆるばね鋼板を好適に用いることができる。
【００８７】
金具１１３の後端部寄りの位置には、第１被係止部１１４が、金具１１３を貫通して形成されている。第１被係止部１１４の孔縁部は、上方から見て円形状をなしている。第１被係止部１１４は、第１ユニット１１１の上壁の外面に形成された第１係止部１１５と係止するようになっている。
【００８８】
金具１１３の前端部寄りの位置には、第２被係止部１１６が、金具１１３を貫通して形成されている。第２被係止部１１６の孔縁部は、上方から見て円形状をなしている。第２被係止部１１６は、第２ユニット１１２の上壁に形成された第２係止部１１７と係止するようになっている。
【００８９】
図３３に示すように、金具１１３の下面のうち前端部には、前方に向かうに従って上方に傾斜する第１傾斜面１１８が形成されている。また、金具１１３の下面のうち後端部には、後方に向かうに従って上方に傾斜する第２傾斜面１１９が形成されている。
【００９０】
（第１係止部１１５）
第１ユニット１１１の第１ケース１２０の上壁には、前端部寄りの位置に、前方に突出する第１係止部１１５が形成されている。第１係止部１１５は、第１ケース１２０の上壁の上面から前方に延びる第１基板部１２１を有する。第１基板部１２１の上面には、第１基板部１２１の前端部寄りの位置に、前下がりの傾斜面が形成されている。
【００９１】
第１基板部１２１には、第１基板部１２１の左右両側縁から上方に突出する第１押さえ部１２２が形成されている。第１押さえ部１２２は、第１基板部１２１から上方に突出する第１側壁部１２３と、第１側壁部１２３の上端から左右方向の内方に突出する第１押さえ片１２４と、を備える。第１押さえ片１２４は、金具１１３に上方から当接して、金具１１３が上方に外れるのを抑制するようになっている。
【００９２】
第１基板部１２１には、上方に突出する第１突起１２５が形成されている。第１突起１２５は、上方から見て円形状をなしている。第１突起１２５の外径寸法は、第１係止部１１５の孔縁部の直径寸法と同じか、やや小さく形成されている。これにより、第１突起１２５は、第１係止部１１５内に挿入されるようになっている。第１突起１２５の上面には、前下がりの傾斜面が形成されている。第１突起１２５が第１係止部１１５内に挿入された状態で、第１突起１２５は、第１係止部１１５の孔縁部に対して、前後方向から当接するようになっている。これにより、金具１１３は、第１係止部１１５に対して前後方向への移動が抑制された状態になっている。
【００９３】
第１基板部１２１の後端部寄りの位置には、上方に突出する第１金具止め部１２６が形成されている。第１金具止め部１２６は、左右方向に間隔を空けて並んで形成されている。金具１１３の後端部が、第１金具止め部１２６に前方から当接することにより、金具１１３が後方に移動してしまうことを抑制するようになっている。
【００９４】
（第２係止部１１７）
第２ユニット１１２の第２ケース１２７の上壁には、後端部寄りの位置に、後方に突出する第２係止部１１７が形成されている。第２係止部１１７は、第２ケース１２７の上壁の上面から後方に延びる第２基板部１２８を有する。第２基板部１２８の上面には、第２基板部１２８の後端部寄りの位置に、後下がりの傾斜面が形成されている。
【００９５】
第２基板部１２８には、第２基板部１２８の左右両側縁から上方に突出する第２押さえ部１２９が形成されている。第２押さえ部１２９は、第２基板部１２８から上方に突出する第２側壁部１３１と、第２側壁部１３１の上端から左右方向の内方に突出する第２押さえ片１３１と、を備える。第２押さえ片１３１は、金具１１３に上方から当接して、金具１１３が上方に外れるのを抑制するようになっている。
【００９６】
第２基板部１２８には、上方に突出する第２突起１３２が形成されている。第２突起１３２は、上方から見て円形状をなしている。第２突起１３２の外径寸法は、第２係止部１１７の孔縁部の直径寸法と同じか、やや小さく形成されている。これにより、第２突起１３２は、第２係止部１１７内に挿入されるようになっている。第２突起１３２の上面には、後下がりの傾斜面が形成されている。第２突起１３２が第２係止部１１７内に挿入された状態で、第２突起１３２は、第２係止部１１７の孔縁部に対して、前後方向から当接するようになっている。これにより、金具１１３は、第２係止部１１７に対して前後方向への移動が抑制された状態になっている。
【００９７】
第２基板部１２８の前端部寄りの位置には、上方に突出する第２金具止め部１３３が形成されている。第２金具止め部１３３は、左右方向に間隔を空けて並んで形成されている。金具１１３の前端部が、第２金具止め部１３３に後方から当接することにより、金具１１３が前方に移動してしまうことを抑制するようになっている。
【００９８】
（第１固定部１３４）
第１ケース１２０の下壁には、下壁の前端縁から前方に張り出した第１張出部１３５が形成されている。第１張出部１３５は前方に向かうに従ってやや先細り形状に形成されている。
【００９９】
第１張出部１３５の前端縁には、２つの第１固定部１３４が、左右方向に間隔を空けて並んで形成されている。第１固定部１３４のそれぞれには、図示しないボルトが挿通される第１ボルト挿通孔１３６が前後方向に貫通されている。
【０１００】
（第２固定部１３７）
第２ケース１２７の下壁には、下壁の後端縁から前方に張り出した第２張出部１３８が形成されている。第２張出部１３８は後方に向かうに従ってやや先細り形状に形成されている。
【０１０１】
第２張出部１３８の前端縁には、２つの第２固定部１３７が、左右方向に間隔を空けて並んで形成されている。第２固定部１３７のそれぞれには、図示しないボルトが挿通される第２ボルト挿通孔１３９が前後方向に貫通されている。
【０１０２】
上記以外の構成については、実施形態１と略同様なので、同一部材については同一符号を付し、重複する説明を省略する。
【０１０３】
（第１ユニット１１１と第２ユニット１１２との組み付け工程）
続いて、第１ユニット１１１と第２ユニット１１２との組み付け工程の一例を説明する。なお、第１ユニット１１１と第２ユニット１１２との組み付け工程は以下の記載に限定されない。
【０１０４】
第１ユニット１１１の第１係止部１１５に、金具１１３の後端部を前方から組み付ける。詳細には、金具１１３の後端部を、第１係止部１１５の、第１基板部１２１と、第１側壁部１２３と、第１押さえ部１２２と、の間に形成された空間内に前方から挿入する。
【０１０５】
更に、金具１１３を後方に移動させると、金具１１３の後端部が、第１突起１２５に前方から当接する。すると、金具１１３の後端部に形成された第１傾斜面１１８が、第１突起１２５の上に乗り上げる。これにより、金具１１３の後端部は上方に移動する。すると、金具１１３の後端部に下方から押圧されて、第１押さえ部１２２が上方に弾性変形する。これにより、第１押さえ片１２４は、金具１１３の後端部に対して、下向きの弾性力を及ぼす。
【０１０６】
更に、金具１１３を後方に移動させると、金具１１３の第１被係止部１１４が、第１突起１２５を乗り越える。すると、金具１１３の後端部は第１押さえ片１２４から下向きの弾性力を受けているので、金具１１３の後端部が下方に移動することによって、第１被係止部１１４内に第１突起１２５が挿入される。
【０１０７】
第１被係止部１１４内に第１突起１２５が挿入された状態で、金具１１３の後端部は、第１押さえ片１２４によって上方への移動が抑制されており、第１被係止部１１４の孔縁部と第１突起１２５とが係止することによって前後方向の移動が抑制されており、また、第１金具止め部１２６によって、金具１１３の後端部が後方に移動することが確実に抑制されるようになっている。これにより、第１ユニット１１１に対して金具１１３が固定される。
【０１０８】
続いて、金具１１３の前端部と、第２ユニット１１２の第２係止部１１７とを対向させる。次に、金具１１３の前端部を第２係止部１１７に後方から組み付ける。詳細には、金具１１３の前端部を、第２係止部１１７の、第２基板部１２８と、第２側壁部１３１と、第２押さえ部１２９と、の間に形成された空間内に後方から挿入する。
【０１０９】
更に、金具１１３を前方に移動させると、金具１１３の前端部が、第２突起１３２に後方から当接する。すると、金具１１３の前端部に形成された第２傾斜面１１９が、第２突起１３２の上に乗り上げる。これにより、金具１１３の前端部は上方に移動する。すると、金具１１３の前端部に下方から押圧されて、第２押さえ部１２９が上方に弾性変形する。これにより、第２押さえ片１３１は、金具１１３の前端部に対して、下向きの弾性力を及ぼす。
【０１１０】
更に、金具１１３を前方に移動させると、金具１１３の第２被係止部１１６が、第２突起１３２を乗り越える。すると、金具１１３の前端部は第２押さえ片１３１から下向きの弾性力を受けているので、金具１１３の前端部が下方に移動することによって、第２被係止部１１６内に第２突起１３２が挿入される。
【０１１１】
第２被係止部１１６内に第２突起１３２が挿入された状態で、金具１１３の前端部は、第２押さえ片１３１によって上方への移動が抑制されており、第２被係止部１１６の孔縁部と第２突起１３２とが係止することによって前後方向の移動が抑制されており、また、第２金具止め部１３３によって、金具１１３の前端部が前方に移動することが確実に抑制されるようになっている。これにより、第２ユニット１１２に対して金具１１３が固定される。
【０１１２】
上記のようにして、第１ユニット１１１と、第２ユニット１１２とは、第１ユニット１１１と第２ユニット１１２に架け渡されるように配された金具１１３によって一体に組み付けられる。
【０１１３】
なお、金具１１３は、第２ユニット１１２の第２係止部１１７に係止させた後に、第１ユニット１１１の第１係止部１１５に係止させてもよい。
【０１１４】
この状態で、第１ユニット１１１の第１固定部１３４と、第２ユニット１１２の第２固定部１３７とは、整合した位置に配されるようになっている。詳細には、第１固定部１３４の第１ボルト挿通孔１３６と、第２固定部１３７の第２ボルト挿通孔１３９とが整合した位置に配されている。
【０１１５】
第１ボルト挿通孔１３６及び第２ボルト挿通孔１３９内に、図示しないボルトを挿通させ、図示しないナットと螺合させることにより、第１ユニット１１１と第２ユニット１１２とを固定する。これにより、蓄電モジュール１１０が完成する。
【０１１６】
（実施形態の作用、効果）
続いて、本実施形態の作用、効果について説明する。本実施形態では、第１ユニット１１１と第２ユニット１１２とに架け渡されるように取り付けられた板状の金具１１３によって、第１ユニット１１１と第２ユニット１１２とが一体に組み付けられており、金具１１３は、第１ユニット１１１に設けられた第１係止部１１５に係止する第１被係止部１１４と、第２ユニット１１２に設けられた第２係止部１１７に係止する第２被係止部１１６と、を有している。
【０１１７】
上記の構成によれば、板状をなす金具１１３によって第１ユニット１１１と第２ユニット１１２とが一体に組み付けられているので、第１ユニット１１１と第２ユニット１１２とを組み付ける構造が、第１ユニット１１１及び第２ユニット１１２の外方に突出することが抑制される。これにより、蓄電モジュール１１０を全体として小型化することができる。
【０１１８】
また、本実施形態では、第１係止部１１５は、第１ユニット１１１の壁部の外面から突出して形成されており、第１被係止部１１４は第１係止部１１５が挿通される貫通孔であり、第２係止部１１７は、第２ユニット１１２の壁部の外面から突出して形成されており、第２被係止部１１６は第２係止部１１７が挿通される貫通孔である。
【０１１９】
上記の構成によれば、金具１１３に形成された貫通孔である第１被係止部１１４に、第１係止部１１５を挿通させ、また、金具１１３に形成された貫通孔である第２被係止部１１６に、第２係止部１１７を挿通させるという簡易な手法により、第１ユニット１１１と第２ユニット１１２とを一体に組み付けることができる。これにより、蓄電モジュール１１０の組み付け作業の効率を向上させることができる。
【０１２０】
＜他の実施形態＞
本発明は上記記述及び図面によって説明した実施形態に限定されるものではなく、例えば次のような実施形態も本発明の技術的範囲に含まれる。
【０１２１】
（１）第１蓄電素子１１、及び第２蓄電素子１３は、リチウムイオン二次電池、ニッケル水素二次電池等の二次電池としてもよく、また、リチウムイオンキャパシタ、電気二重層キャパシタ等の、キャパシタとしてもよい。
【０１２２】
（２）本実施形態においては、第１蓄電素子１１、及び第２蓄電素子１３は略直方体形状をなすものとしたが、これに限られず、円筒形状としてもよいし、任意の形状を適宜に選択できる。
【０１２３】
（３）本実施形態においては、第１ユニット１２は第１係合部７２を有し、第２ユニット１４は第２被係合部７３を有する構成としたが、係合部、及び被係合部は省略してもよい。
【０１２４】
（４）第１上側突起７８、及び第１下側突起７９、並びに、第２上側突起８２、及び第２下側突起８３は省略してもよい。
【０１２５】
（５）本実施形態においては、伝熱部材１５は金属製としたが、これに限られず、合成樹脂製であってもよく、必要に応じて任意の材料を適宜に選択できる。
【０１２６】
（６）本実施形態においては、蓋部材１６は合成樹脂製としたが、これに限られず、金属製であってもよく、必要に応じて任意の材料を適宜に選択できる。
【０１２７】
（７）本実施形態に係る蓄電モジュール１０は伝熱部材１５を備える構成としたが、これに限られず、伝熱部材１５に代えて、断熱部材を用いてもよい。この場合には、断熱部材に、第１外部導体に対応する位置に第１凹部を形成し、第２外部導体に対応する位置に第２凹部を形成することにより、第１外部導体及び第２外部導体と蓄電モジュール１０をコンパクト化することができる。
【０１２８】
（８）蓄電モジュール１０については、蓄電モジュール１０と、蓄電モジュール１０への充放電制御を行う制御部と、が一体化された、車載蓄電モジュールとしてもよい。
【０１２９】
（９）実施形態２においては、第１ユニット１１１と第２ユニット１１２の上面側は金具１１３で固定し、下面側はボルトで固定する構成としたが、これに限られず、第１ユニットと第２ユニットの上下両面を金具で固定する構成としてもよい。また、第１ユニットと第２ユニットの上下左右の各面を金具で固定する構成としてもよい。
【符号の説明】
【０１３０】
１０，１１０：蓄電モジュール
１１：第１蓄電素子
１２，１１１：第１ユニット
１３：第２蓄電素子
１４，１１２：第２ユニット
１５：伝熱部材
２２：第１外部導体
２４：第２外部導体
３７：正極（第１電極）
３８：負極（第１電極）
４０：第１導体
４１：第３導体
５１：正極（第２電極）
５２：負極（第２電極）
５４：第２導体
５７：第１分割体（第３導体）
５８：第２分割体（第３導体）
６７：第１凹部
６９：第２凹部
７０：第２係合部
７１：第１被係合部
７２：第１係合部
７３：第２被係合部
７６：第１固定部材
７８：第１上側突起
７９：第１下側突起
８０：第２固定部材
８２：第２上側突起
８３：第２下側突起
１１３：金具
１１４：第１被係止部
１１５：第１係止部
１１６：第２被係止部
１１７：第２係止部
【図１】
2017004926.tif 000003
【図２】
2017004926.tif 000004
【図３】
2017004926.tif 000005
【図４】
2017004926.tif 000006
【図５】
2017004926.tif 000007
【図６】
2017004926.tif 000008
【図７】
2017004926.tif 000009
【図８】
2017004926.tif 000010
【図９】
2017004926.tif 000011
【図１０】
2017004926.tif 000012
【図１１】
2017004926.tif 000013
【図１２】
2017004926.tif 000014
【図１３】
2017004926.tif 000015
【図１４】
2017004926.tif 000016
【図１５】
2017004926.tif 000017
【図１６】
2017004926.tif 000018
【図１７】
2017004926.tif 000019
【図１８】
2017004926.tif 000020
【図１９】
2017004926.tif 000021
【図２０】
2017004926.tif 000022
【図２１】
2017004926.tif 000023
【図２２】
2017004926.tif 000024
【図２３】
2017004926.tif 000025
【図２４】
2017004926.tif 000026
【図２５】
2017004926.tif 000027
【図２６】
2017004926.tif 000028
【図２７】
2017004926.tif 000029
【図２８】
2017004926.tif 000030
【図２９】
2017004926.tif 000031
【図３０】
2017004926.tif 000032
【図３１】
2017004926.tif 000033
【図３２】
2017004926.tif 000034
【図３３】
2017004926.tif 000035
【図３４】
2017004926.tif 000036
【図３５】
2017004926.tif 000037
【図３６】
2017004926.tif 000038
【図３７】
2017004926.tif 000039
【図３８】
2017004926.tif 000040
【図３９】
2017004926.tif 000041
【図４０】
2017004926.tif 000042